(57)【要約】      （修正有）【課題】快適に使用できる男性用集尿具を提供する。【解決手段】男性使用者の下半身に装着されるサイズとの集尿袋１４であって、該集尿袋は、該基端部分１４−１に半径方向外側に曲げられた折り曲げ部分１４−１ａと、該折り曲げ部分が該装着用リングに固着されて該陰茎受入開口を開放状態に維持するようにされている装着用リング１６と、尿を集尿袋内に溜めるために閉止されると共に、排出するために開放可能とされる尿排出開口２２を有する先端部分１４−３とを有する構成とする。【選択図】図８
2013099502.tif 000002
【特許請求の範囲】
【請求項１】
ベッドから離れて活動する男性使用者の下半身に装着されるサイズとされ、排尿される尿を貯留するための集尿袋を有する男性用集尿具であって、該集尿袋が、
男性使用者の陰茎を該集尿袋内に通すための陰茎受入開口を有する基端部分と、
該基端部分に取り付けられる装着用リングであって、該集尿袋の該基端部分の半径方向外側に曲げられた折り曲げ部分を有し、該折り曲げ部分が該装着用リングに固着されて該陰茎受入開口を開放状態に維持するようにされている装着用リングと、
当該集尿袋内に排尿された尿を当該集尿袋内に溜めるために閉止されると共に、溜められた尿を排出するために開放可能とされた尿排出開口を有する先端部分と、
を有する、男性用集尿具。
【請求項２】
該集尿袋の該基端部分の内側に設けられ、該集尿袋内に受け入れられた陰茎の周りに配置されるようにした布又は紙製の内側スリーブを更に有する請求項１に記載の男性用集尿具。
【請求項３】
該内側スリーブが撥水性を有する請求項２に記載の男性用集尿具。
【請求項４】
該内側スリーブの内周面が撥水性を有する請求項３に記載の男性用集尿具。
【請求項５】
該内側スリーブの内周面がポリプロピレン層を含み撥水性を有するようにされている請求項４に記載の男性用集尿具。
【請求項６】
該装着用リングが平たい基端側リング部材及び先端側リング部材を有し、
該集尿袋の該基端部分の該周囲部分が、該集尿袋の長手軸線方向で整合された該基端側リング部材と先端側リング部材の間に挟着されている請求項１乃至５の何れかに記載の男性用集尿具。
【請求項７】
該内側スリーブが該装着用リングに固着された基端縁と、装着用リングから離れた先端縁とを有し、該先端縁はその周方向に沿って凹凸をなしている請求項２乃至５の何れかに記載の男性用集尿具。
【請求項８】
該内側スリーブが該装着用リングに固着された基端縁と、装着用リングから離れた先端縁とを有し、該基端縁が周方向に沿って複数設けられた延出部を有し、該延出部が当該スリーブの半径方向外側に折り曲げられて、該装着用リングに固着されている請求項２乃至５の何れかに記載の男性用集尿具。
【請求項９】
該集尿袋の該尿排出開口が、該装着開口よりも小さい横断面を有する請求項１乃至８に記載の男性用集尿具。
【発明の詳細な説明】
【技術分野】
【０００１】
本発明は、男性用の集尿具に関し、特に、泌尿器の手術を受けた人や高齢者などが患う垂れ流し的な尿漏れに対する集尿具に関する。
【背景技術】
【０００２】
尿漏れに対する排尿処理具として一般的なのはオムツであるが、使用感の悪さ、使用部位のかぶれ、取替え処理の煩雑さ、コスト高など種々の問題があり、これに代わる集尿具が種々開発されてきている。
【０００３】
男性用の集尿具としては、男性の陰茎にコンドーム状ゴム袋を被せ、その先端にホースをつなぎ、ホース先端に用意された尿瓶に尿を集めるようにしたものがある（例えば、特許文献１乃至３）。これらは使用者がベッド上で使用するものである。また、陰茎に装着した集尿袋を太もも等に取り付けて、外出時でも使用できるようにした集尿具も開発されている（例えば特許文献４）。更に、集尿具を陰茎に装着するために種々の工夫がなされている（例えば特許文献５及び６）。
【０００４】
本出願人は、これらの従来の集尿具よりも取付・取外が容易で、しかも安全確実に装着することができ、外出時にも装着使用できる集尿具に関する発明に関し特許出願を行っている（特許文献７）。
【０００５】
特許文献４や特許文献７に開示された集尿具は、使用者がベッドから出て外出先でも排尿処理をすることを可能とする点で、通常の日常生活を可能とするものである。しかし、これらは、集尿袋に一定量以上の尿が溜まったときに、その集尿袋を身体から外して、トイレ等で尿を排出処理し、その集尿袋か又は新たな集尿袋を付け直す必要があるので、使用者にとっては、非常に煩わしいものである。
【０００６】
本願発明者は、このような点に鑑み、集尿袋に溜めた尿を健常者が排尿するのとほぼ同様の態様で尿を排出処理することを可能とする集尿具を開発し、平成２３年１０月１２日に特許出願した（特願２０１１−２２４５４９号）。
【先行技術文献】
【特許文献】
【０００７】
【特許文献１】特開平１０−１９２３４７号
【特許文献２】実開昭５９−４６５１９号
【特許文献３】実開昭６０−１０９６１７号
【特許文献４】登録実用新案第３０２５０１９号
【特許文献５】英国特許２１９１０９５Ａ
【特許文献６】特開平１０−３１４２０４号
【特許文献７】ＷＯ２０１１／０２４８６４Ａ１
【発明の概要】
【発明が解決しようとする課題】
【０００８】
本願発明は、上記特許出願（特願２０１１−２２４５４９号）の改良に関するものであり、装着が容易で、使用感に優れている集尿袋を備えた男性用集尿具を提供することを目的としている。
【課題を解決するための手段】
【０００９】
すなわち、本発明は、
ベッドから離れて活動する男性使用者の下半身に装着されるサイズとされ、排尿される尿を貯留するための集尿袋を備える男性用集尿具であって、該集尿袋が、
男性使用者の陰茎を該集尿袋内に通すための陰茎受入開口を有する基端部分と、
該基端部分に取り付けられる装着用リングであって、該集尿袋の該基端部分が半径方向外側に曲げられた周囲部分を有し、該周囲部分が該装着用リングに固着されて該陰茎受入開口を開放状態に維持するようにされている装着用リングと、
当該集尿袋内に排尿された尿を当該集尿袋内に溜めるために閉止されると共に、溜められた尿を排出するために開放可能とされた尿排出開口を有する先端部分と、
を有する、男性用集尿具を提供する。
【００１０】
集尿袋は、使用前は、通常折り畳まれて小さくされている。このため、薄いプラスチック等の薄いシートから作られる集尿袋の陰茎を受け入れる陰茎受入開口は閉じられた状態とされており、この集尿袋を装着するときに陰茎受入開口を開かなければならない。これは手間がかかり煩雑なものである。本発明に係る上記男性用集尿袋では、装着用リングを取り付けることにより、陰茎受入開口が常に開放された状態とされるので、陰茎に対する装着が極めて容易となる。また、本発明に係る上記男性用集尿袋は、日常生活する男性使用者の下半身に装着されるサイズとされ、また、先端部分に尿排出開口を備えているので、トイレなどで必要に応じて、溜められた尿を排出することができ、排尿障害のある人でも、日常生活を支障なく行うことが可能となる。
【００１１】
この集尿袋においては、更に、該集尿袋の該基端部分の内側に設けられ、該集尿袋内に受け入れられた陰茎の周りに配置されるようにした布又は紙製の内側スリーブを更に有するようにすることができる。
【００１２】
集尿袋を装着した状態で排尿した場合、集尿袋内に収納される尿が蒸気を生じるために集尿袋の内壁面に結露を生じ、その為に、陰茎が濡れて使用感が悪くなるばかりか、皮膚の炎症をも生じかねない。本発明に係る集尿袋では、その基端部分の内側に布製もしくは紙製の内側スリーブを設けることにより、そのような問題を解消するものである。
【００１３】
好ましくは、該内側スリーブは撥水性を有するものとして、陰茎への水分の付着を少なくすることが好ましい。
【００１４】
具体的には、該内側スリーブの少なくとも内周面が撥水性を有するようにする。より具体的には、内側スリーブの少なくとも内周面がポリプロピレン層を有し撥水性を有するようにする。
【００１５】
装着用リングは平たい基端側リング部材及び先端側リング部材を有し、集尿袋の基端部分の前記周囲部分が、集尿袋の長手軸線方向で整合された基端側リング部材と先端側リング部材の間に挟着されるようにすることができる。
【００１６】
該内側スリーブの装着用リングから離れた先端縁が、その周方向に沿って凹凸をなしているようにすることができる。このようにすることにより、内側スリーブの表面に生じる水滴が集尿袋の先端側に向かって、流れやすくなる。
【００１７】
内側スリーブの装着用リングから離れた先端縁が周方向に沿って複数設けられた延出部を有し、該延出部が当該内側スリーブの半径方向外側に折り曲げられて、該装着用リングに固着されるようにすることができる。装着用リングに対する固着を容易にするためである。
【００１８】
集尿袋は、その長さ方向で間隔をあけて設けられた計量目盛を有するようにすることが好ましい。排尿量を容易に測定するためである。
【００１９】
上述の集尿具において、該尿排出開口が、該陰茎受入開口よりも小さい横断面を有するようにすることが好ましい。これは該尿排出開口からの尿排出をし易くするためである。
以下、本発明にかかる男性用集尿具の実施形態を添付図面に基づき説明する。
【図面の簡単な説明】
【００２０】
【図１】本発明に係る男性用集尿具を構成する集尿袋を陰茎に装着した状態を示す。
【図２】本発明に係る男性用集尿具の集尿袋を示す一部切り欠き斜視図である。
【図３】本発明に係る男性用集尿具の下着の正面図であり、同下着の正面側に取り付けられる集尿袋を保持するための袋保持部材が一点鎖線で示されている。
【図４】図３の袋保持部材の断面側面図である。
【図５】同袋保持部材の裏面図である。
【図６】同袋保持部材の正面図である。
【図７】図３に類似する図であるが、他の実施形態に係る男性用集尿具を示す。
【図８】本発明に係る集尿袋の他の実施形態を示す縦断面図である。
【図９】図８に示した内側スリーブの他の実施形態を示す一部を想像線で示す斜視図である。
【図１０】図９の内側スリーブの断面図である。
【図１１】本発明の更に別の実施形態に係る集尿袋の縦断面図である。
【図１２】図１１の集尿袋の素材の縦断面図である。
【発明を実施するための形態】
【００２１】
図１に示す本発明の実施形態に係る男性用集尿具（以下、単に集尿具とする）１０は、基端部分に使用者の陰茎Ｐを受け入れる陰茎受入開口１２を有する細長い集尿袋１４と、陰茎Ｐの周りで集尿袋１４の外周面上に装着されるリング状のシール部材１８と、固定リング２０とを有する。固定リング２０はプラスチックなどから作ることができ、円筒形状の筒状部分２０−１、該筒状部分２０−１の前方端縁から半径内側方向に延びる前端環状部分２０−２、同筒状部分２０−１の後方端縁から半径方向外側に延びる後端環状部分２０−３を有する。シール部材１８は好ましくはスポンジ材で作られた半径方向での厚みを有し、周方向の一カ所で切れ目の入れられたスプリットリングとされており、使用者の陰茎Ｐの周りで、集尿袋１４の外周面上に巻かれ、固定リング２０の筒状部分２０-１内に押し込まれ、それにより、陰茎Ｐの周りに適度の圧力を掛けるようにされている。該集尿袋１４の陰茎受入開口１２の周縁には装着用リング１６が固着され、陰茎受入開口１２を開放状態に維持するようにされている。該装着用リング１６は、シール部材１８の使用者側端面１８−１に当接するように設定され、集尿袋１４はシール部材１８の内側を通り、固定リング２０の前端環状部分２０−２の中央に設けた袋挿通開口２０−４を通って外部に延出するようになっている。集尿袋１４は、降雨時に店の入口で配布される傘袋のようなポリエチレン製として安価なものとすることができる。
【００２２】
本発明においては、装着用リング１６は、図２に示すように、プラスチックや厚紙などで作られた平たいリングとされ、集尿袋１４の陰茎受入開口１２がある基端部分１４−１の縁部分を外側に折り曲げ、その折り曲げ部分１４−１ａを該装着用リング１６を包むようにした状態で、該折り曲げ部分１４−１ａと装着用リング１６とを熱溶着により固定して、陰茎受入開口１２が常に開口した状態に維持されるようにしている。また、集尿袋１４は、図２に示すように、その先端が尿排出開口２２を有しており、使用時には、例えば、集尿袋１４の先端部分１４−３を折り返して重ね、その折り重ねた先端部分１４−３を外側から閉止部材としてのクリップ２６で挟着することにより、集尿袋１４内に溜められた尿が尿排出開口２２から漏れ出るのを阻止するようになっている。図示のクリップ２６は、一端の枢着部２６−１で枢着された一対のアーム２６−２，２６−３からなり、該アームで集尿袋１４の折り重ね先端部分１４−３を両側から挟着し、アームの他端に設けられたロック部２６−４で挟着状態のアーム２６−２，２６−３を連結固定するようになっている。図２に示すように、集尿袋１４には、当該集尿袋内に溜めた尿の量を計量するための目盛１４−４が設けられている。
【００２３】
図示の集尿具１０は、集尿袋１４を使用者の陰茎Ｐの部位に保持するための手段として、使用者の下半身に装着するパンツの形態とした下着３０を有する（図１、図３）。この下着３０は、その前面側の陰茎Ｐの部位に対応する位置に、陰茎Ｐを受け入れた集尿袋１４を前方に通す円形の挿通用開口３０−１を有する。図示の実施形態では、固定リング２０の後端環状部分２０−３を下着の内側面に当接させた状態で、筒状部分２０−１を該挿通用開口３０−１に通すことにより、集尿袋を下着の内側から前方に通すようにしている。挿通用開口３０−１を画定する周縁部分は、固定リング２０の後端環状部分２０−３を下着の内側に確実に保持することができるよう、挿通用開口３０−１の円形形状が変形しにくいようにされており、この実施形態においては、同周縁部分をボタンホールステッチ式に同周縁部分に沿って縫い糸を密に縫い込むことにより同周縁部分に剛性を与えている。
【００２４】
下着３０の前面には、固定リングの袋挿通開口２０−４を通された集尿袋１４を保持して、集尿袋１４に貯められる尿の重みを支持する袋保持部材３２が取り付けられている。図示の例では、袋保持部材３２は布製の細長い袋とされており、上下方向で延びるようにしてホック３４により取り外し可能に取り付けられている。図４乃至図６に示すように、袋保持部材３２は、布を二重に重ね合わせ周囲を矩形状にして縫い合わせて作られており、上端縁３２−１に隣接して一対の雄型ホック３４−１が取り付けられ、裏面側から突出するようにされている。これに対応して下着３０には、挿通用開口３０−１の周囲の上側に一対の雌型ホック３４−２が取り付けられており、雄型ホック３４−１を雌型ホック３４−２に嵌め合わせることにより、当該集尿袋１４を下着３０に取り付けるようになっている。図示の実施形態では、下着３０の挿通用開口３０−１の周囲の下側中央にも１つの雌型フック３４−２が設けられ、袋保持部材３２の裏面部３２−２にも対応する雄型フック３４−１が設けられており、袋保持部材３２をより確実に下着に取り付けられるようにしている。袋保持部材３２は、布製とすることにより、ポリエチレンなどで作った薄い集尿袋だけでは、そこに溜められて使用者の肌に伝わりやすい尿の暖かい感触を遮断することができる。
【００２５】
袋形状の袋保持部材３２は、その表面部３２−３に長さ方向に沿って延びるスリット３２−４が、裏面部３２−２に下着３０の挿通用開口３０−１を通された固定リング２０の筒状部分２０−１を受け入れる固定リング用開口３２−４を有している。固定リング２０の袋挿通開口２０−４を通された集尿袋１４は、袋保持部材３２内に収納される。スリット３２−４にはジッパーとして知られている線ファスナー３６が取り付けられており、線ファスナースライド３６−１を上下動してスリット３２−４の開閉ができるようになっており、該開放したスリット３２−４を通して、集尿袋の出し入れができるようになっている。スリット３２−４は、袋保持部材３２の下端近くから上方に延び、線ファスナースライド３６−１を下から上方へ動かすことにより、スリット３２−４を開放することができるようにすることにより、集尿袋１４に貯まった尿を排出するのに、該線ファスナースライド３６−１を線ファスナー３６の下端から僅かに上方に動かしてスリットの下端近くだけを開放し、図１に一点鎖線で示すように、集尿袋の先端部分１４−３だけを袋保持部材３２から外に取り出して、貯まった尿の排出処理を行うことができる。袋保持部材３２の別の例としては、スリット３２−４は、当該袋保持部材３２の下端近くだけに線ファスナーなしに設けることもでき、集尿袋の先端部分１４−３を常時、袋保持部材の外部に出しておくようにすることもできる。尿の排出処理を迅速に行うことができる点で優れていている。尿を排出処理する際に、集尿袋全体を袋保持部材３２から取り出すようにする場合には、線ファスナースライドは上から下へ動かすことによりスリットを開くようにすることもできる。
【００２６】
使用に当たっては、集尿袋１４を固定リング２０及びシール部材１８によって図１に示す如く装着した下着３０を、使用者が、通常のパンツを履くときのように使用者の脚下方からほぼ下腹部に持ち上げ、陰茎Ｐを集尿袋１４の基端部分の陰茎受入開口１２内に挿入した後、同下着を図１に示す如き通常の使用位置とする。場合によっては、固定リング２０及びシール部材を集尿袋から外して、該集尿袋１４の基端部分を下着３０の内側に引き出しておき同基端部分にある陰茎受入開口１２内に陰茎を挿入した後、同陰茎の周りの集尿袋の外側からシール部材１８を陰茎Ｐを包むように取り付け、そのシール部材の周りに固定リング２０の筒状部分２０−１を嵌め込んだ後、該筒状部分２０−１を下着の挿通用開口３０−１に挿通して図１に示す状態にする。この場合、集尿袋１４の先端部分１４−３は図２に示すように折り重ねられて、クリップ２６により挟着される。
【００２７】
このように集尿袋１４を装着することにより、使用者の陰茎から漏れ出てくる尿は、袋保持部材３２内にある集尿袋１４内に溜まる。使用者が集尿袋からの尿排出が必要と感じたときに、トイレ等にいって線ファスナースライド１６−１を下げてスリット３２−４を開口し、袋保持部材３２から集尿袋１４を出して、その先端のクリップ３６を外し、尿の排出を行う。従って、この尿排出処理は、健常者が小用を足すときとほぼ同様な所作で行うことができる。
【００２８】
上述の実施形態では下着としてパンツ３０を示したが、これに限定されるものではなくＴ字帯や褌といった形態のものでもよい。前述したＷＯ２０１１／０２４８６４Ａ１（特許文献７）で示した集尿具装着部材４０として示したものも一種のＴ字帯とすることができる。
【００２９】
上述した下着としてのパンツ３０は、集尿袋に少量の尿が溜まった都度、トイレなどで尿の排出処理をするのであれば、上述の実施形態のようなものでもよいが、ある程度の量の尿を集尿袋に溜めることを想定した場合には、尿の重みを支持するための手段を別に設けることが好ましい。図７は、コルセット状の幅広のベルト４０をパンツ３０のウエスト部分に巻き付けるようにしたものである。このベルト４０は、図示しないホックなどでパンツ３０のウエスト部分に取り外し可能とすることが好ましく、ウエスト部分の後側から左右両側を通し前側に廻した両端部分４０−１，４０−２を、マジックテープ（登録商標）として知られている面ファスナーで固定するようにしたものである。更に、パンツ自体を補強することもでき、例えば、図７に一点鎖線で示すように、パンツのウエスト部分から挿通用開口３０−１の周縁部分を囲むように延びる補強布３０−２をパンツに縫い付けることもできる。
【００３０】
図８は、本発明の他の実施形態に係る集尿袋１４を示す。この集尿袋１４の先端部分１４−３が細長くされている。集尿袋１４は全体的に長さが略３０ｃｍ、直径が略３〜４ｃｍ程度のものとされるのに対して、この細長くされている先端部分１４−３は例えば長さが略５ｃｍ、直径が略２ｃｍ程度のものとされる。このようにすることにより、貯まった尿を細くして安定して排出することができ、周囲を汚さずに排出することができる。この集尿袋は１４は、ポリエチレン等の合成樹脂シートを２枚重ねにした状態で超音波溶着や熱用着技術を使って成形するが、成形方法によっては、図示のように、尿排出開口２２を閉じる封止２３が形成される場合がある。この場合は、使用に際して、ハサミ等で、先端部分１４−３を切断して、尿排出開口２２を開放する。
【００３１】
この集尿袋１４は、その基端部分１４−１の内側に布や和紙などの吸水性の高いシート材からなる内側スリーブ４２を備える。該内側スリーブ４２は、基端部分１４−１の陰茎受入開口１２内に陰茎Ｐが挿入されたときに、該陰茎の周囲を覆うようなサイズとされる。陰茎Ｐの亀頭部分よりも陰茎の根本部分側を覆うようにすることが好ましい。集尿袋１４と内側スリーブ４２の基端縁分は半径方向外側に環状に折り曲げられ、陰茎受入開口、その折り曲げ部分１４−１ａ、４２−１が、前記装着用リング１６をなす基端側リング部材１６−１及び先端側リング部材１６−２で挟んで固定され、好ましくは、接着剤などを用いて固着されている。基端側リング部材１６−１及び先端側リング部材１６−２は、陰茎受入開口１２の円形形状を維持するためにある程度剛性をもった厚紙とされ、防水加工されたものが好ましい。
【００３２】
図９及び図１０は、図８に示した集尿袋１４の内側に取り付けられる内側スリーブ４２の他の実施形態を示している。すなわちこの内側スリーブ４２は、その内側にポリプロピレンの薄層４４が形成され、該内側スリーブ４２の内側面４２−２が撥水性を有するようにされている。このようにすることにより、集尿袋１４に溜められた尿の蒸気によって当該集尿袋１４の基端部分１４−１の内面に生じる結露によって陰茎が濡れることを防ぐことができる。この実施形態では、布や和紙などの吸水性のある内側スリーブ４２は集尿袋１４の基端部分１４−１内面に生じる結露を吸収し、一方、同内側スリーブ４２の内側面は撥水性を有するために、陰茎の表面上の湿気を吸収するようになっており、陰茎がかぶれたりすることがなく快適に使用することを可能とする。図示の例では、内側スリーブ４２の内側面４２−２にだけポリプロピレンの薄層を形成したが、外側面にも形成して該外側面も撥水性を有するものとすることもできる。
【００３３】
この実施形態では、内側スリーブ４２の折り曲げ部分４２−１に半径方向で延びる切れ込み４２−１ａを当該折り曲げ部分４２−１の周方向で間隔をあけて複数設け、それら切れ込み４２−１ａの間に半径方向で延びる延長部４２−１ｂが形成され、該内側スリーブ４２の縁部分を半径方向外側に折り曲げ易くしている。
【００３４】
更に、図９及び図１０に示すように、この内側スリーブ４２では、その先端縁４２−３が波形の凹凸を有するようにされている。これは内側スリーブ４２に付着した水分が集尿袋内に落ちやすくするものである。凹凸は波形に限る必要な無く、ノコギリ歯状にしたりすることもできる。
【００３５】
図１１は、本発明の更に他の実施形態に係る集尿袋１４を示しており、図１２は、この集尿袋１４が図１１の形状にされる前の集尿袋素材１４Ａを示している。この素材１４Ａは１４ｊで示す折り返し線より下の部分は基本的には図８に示したものと同様の形状とされているが、それより上に、以下に説明する逆止弁の作用をする延長部分１４Ｂが形成されている。すなわち、この延長部分１４Ｂは、その上方先端部分に先細部分１４ｈ及びそれに続く小径部分１４ｉを備えている。この延長部分１４Ｂは図１２に一点鎖線で示すように折り返し線１４ｊから内側に折り返され、そのように折り返されたときの上端縁を図８と同様に半径方向外側に折り返して、その内側に吸水性の高いシート材からなる内側スリーブ４２を設け、装着用リング１６−１、１６−２を取り付ける。このようにして作られた集尿袋１４は、図１１に示すようにして陰茎Ｐに装着され、折り返された延長部分１４Ａは逆止弁１４ｋとして使われる。すなわち、この逆止弁１４ｋは、陰茎からの尿が小径部分１４ｉを通して収納袋１４の本体１４Ｃ内に流れるのを許容し、一方、本体１４Ｃ内に収納された尿が小径部分１４ｉを通して陰茎Ｐの周りに逆流しようとした場合には、小径部分１４ｉが当たりの尿の圧力よって閉じられて、その逆流を防ぐように作用する。延長部分１４Ｂの長さは約１５ｃｍとし、小径部分１４ｉの長さを約５ｃｍ、直径を約１〜１．５ｃｍとすることが好ましい。また、延長部の形状は、集尿袋の先端部分１４−３と同じような形状にすることもできる。
【００３６】
以上、本発明に係る男性用集尿具の実施形態を説明したが、本発明はこれに限定されるものではなく種々の変形が可能である。本願明細書において下着としたものは、集尿袋を身体に保持するためズボンの下に着用するものをいい、上述したように、褌やＴ字帯などの形態のものとすることができる。また、袋保持部材３２は、袋状のものである必要な無く、下着３０の前面部に設けたポケット状のものでもよい。また、集尿袋は、その全体を袋保持部材３２に保持する必要は無く、集尿袋に溜められる尿の重さを支持するようにして袋状やポケット状とされた袋保持部材により保持させ、上述したように、その先端部分は袋保持部材によって保持されていない状態、すなわち、袋保持部材から外部に延出した状態としておき、クリップを外すだけで尿排出処理が行えるようにすることもできる。
【符号の説明】
【００３７】
男性用集尿具１０：陰茎受入開口１２：集尿袋１４：基端部分１４−１：先端部分１４−３：計量目盛１４−４：延長部１４Ａ；延長部分１４Ｂ；集尿袋本体１４Ｃ；先細部分１４ｈ；小径部分１４ｉ；逆止弁１４ｋ；装着用リング１６：シール部材１８：使用者側端面１８−１：固定リング２０：筒状部分２０−１：前端環状部分２０−２：後端環状部分２０−３：袋挿通開口２０−４：尿排出開口２２：クリップ２６：枢着部２６−１：アーム２６−２，２６−３：ロック部２６−４：下着３０：挿通用開口３０−１：袋保持部材３２：上端縁３２−１：スリット３２−２：表面部３２−３：ホック３４：雄型ホック３４−１：雌型ホック３４−２：線ファスナー３６：線ファスナースライド３６−１：ベルト４０：両端部分４０−１，４０−２：内側スリーブ４２：内側スリーブの折り曲げ部４２−１：切れ込み４２−１ａ：延長部４２−１ｂ：先端縁４２−３：内側スリーブの内側面４２−２：内側スリーブの先端縁４２−３：陰茎Ｐ
【図１】
2013099502.tif 000003
【図２】
2013099502.tif 000004
【図３】
2013099502.tif 000005
【図４】
2013099502.tif 000006
【図５】
2013099502.tif 000007
【図６】
2013099502.tif 000008
【図７】
2013099502.tif 000009
【図８】
2013099502.tif 000010
【図９】
2013099502.tif 000011
【図１０】
2013099502.tif 000012
【図１１】
2013099502.tif 000013
【図１２】
2013099502.tif 000014